(57)【要約】【課題】端子をスリットに安定して固定することによって、端子の移動によるリード線の断線を抑制することができるスピーカ用端子取付構造およびスピーカユニットを提供する。【解決手段】スピーカ用端子取付構造は、スリット２２を有するフレーム１１と、スリット２２に差し込まれることでフレーム１１に支持される端子２１とを備えている。スリット２２は、端子２１が差し込まれる方向ＩＤから見て、２つの一方側支持部２２ｆと、他方表面２１ｓに当接し、かつ２つの一方側支持部２２ｆに挟まれる領域２４の内側に位置する少なくとも１つの他方側支持部２２ｓとを含む形状を有している。２つの一方側支持部２２ｆをつなぐ仮想の第１直線Ｌ１に対して第１の方向Ｄ１に端子２１の厚みＴ１より小さい距離Ｔ２において第１直線Ｌ１と平行に延びる仮想の第２直線Ｌ２を想定したときに、他方側支持部２２ｓは第２直線Ｌ２から第２の方向Ｄ２側に位置している。【選択図】図８
2012156953.tif 000002
【特許請求の範囲】
【請求項１】
スリットを有するフレームと、
前記スリットに差し込まれることで前記フレームに支持される端子とを備え、
前記スリットは、前記端子が差し込まれる方向から見て、
前記端子の一方表面に当接する２つの一方側支持部と、
前記端子の前記一方表面と対向する他方表面に当接し、かつ前記２つの一方側支持部に挟まれる領域の内側に位置する少なくとも１つの他方側支持部と、
を含む形状を有し、
前記２つの一方側支持部をつなぐ仮想の第１直線に対して前記一方表面から前記他方表面に向かう第１の方向に前記端子の厚みより小さい距離において前記第１直線と平行に延びる仮想の第２直線を想定したときに、前記他方側支持部は前記第２直線から前記第１の方向と反対方向の第２の方向側に位置している、スピーカ用端子取付構造。
【請求項２】
前記他方側支持部は、前記第１直線よりも前記第１の方向に位置している、請求項１に記載のスピーカ用端子取付構造。
【請求項３】
前記他方側支持部は、前記第１直線よりも前記第２の方向に位置している、請求項１に記載のスピーカ用端子取付構造。
【請求項４】
前記少なくとも１つの他方側支持部は、単数の前記他方側支持部である、請求項１〜３のいずれかに記載のスピーカ用端子取付構造。
【請求項５】
前記少なくとも１つの他方側支持部は、２つの前記他方側支持部である、請求項１〜３のいずれかに記載のスピーカ用端子取付構造。
【請求項６】
前記端子は、前記スリットに前記端子が差し込まれる方向において、前記フレームと係合可能な突起部を有している、請求項１〜５のいずれかに記載のスピーカ用端子取付構造。
【請求項７】
前記フレームは、前記突起部を受入可能な凹部を有している、請求項６に記載のスピーカ用端子取付構造。
【請求項８】
前記端子はバネ端子である、請求項１〜７のいずれかに記載のスピーカ用端子取付構造。
【請求項９】
請求項１〜８のいずれかに記載のスピーカ用端子取付構造と、
振動板と、
前記振動板に取り付けられたボイスコイルと、
前記ボイスコイルに電気的に接続されたリード線と、
前記ボイスコイルと対向するように配置されたマグネットとを備え、
前記フレームは、前記マグネットおよび前記振動板を支持し、
前記端子は、前記リード線と電気的に接続されることで前記ボイスコイルと電気的に接続されている、スピーカユニット。
【発明の詳細な説明】
【技術分野】
【０００１】
本発明は、スピーカ用端子取付構造およびスピーカユニットに関し、特に、フレームのスリットに端子が差し込まれるスピーカ用端子取付構造およびそれを備えたスピーカユニットに関するものである。
【背景技術】
【０００２】
携帯電話機、スマートフォン、ＰＤＡ（Personal Digital Assistants）、ゲーム機、
、パーソナルコンピュータなどの携帯情報端末にスピーカが搭載されている。このスピーカでは、セット側基板（機器側回路基板）にスピーカユニットの端子が電気的に接続されている。この端子とスピーカユニットのボイスコイルとがリード線で電気的に接続されている。これにより、スピーカユニットとセット側基板とが電気的に接続されている。
【０００３】
従来、この端子がフレームのスリットに差し込まれる構造を有するスピーカが提案されている。この種のスピーカとして、たとえば、特開２００５−１３６７０８号公報（特許文献１）には、フレームのＬ字状の鉤状突起部の引掛り部にバネ端子の開口部の一内周縁部が係合され、かつフレームの穴部にバネ端子のＬ字状の挿入部が挿入されることによりバネ端子がフレームに固定されたスピーカ装置が提案されている。
【０００４】
また、たとえば、特開２００５−２６０７７５号公報（特許文献２）には、金属製のバネ端子の複数の折り曲げ片が樹脂製フレーム上の複数個の取付穴に圧入されることで金属製のバネ端子が樹脂製フレームに固定されたスピーカ装置が提案されている。
【先行技術文献】
【特許文献】
【０００５】
【特許文献１】特開２００５−１３６７０８号公報
【特許文献２】特開２００５−２６０７７５号公報
【発明の概要】
【発明が解決しようとする課題】
【０００６】
上記の特開２００５−１３６７０８号公報に記載されたスピーカ装置では、フレームのＬ字状の鉤状突起部の引掛り部にバネ端子の開口部が挿入され、フレームの穴部にバネ端子のＬ字状の挿入部が挿入される。したがって、バネ端子をフレームに取り付けるためにはフレームの穴部はバネ端子のＬ字状の挿入部のより寸法が大きくなるように形成される必要がある。このため、バネ端子をフレームに取り付けた後にフレームの穴部に対してバネ端子の挿入部が移動してしまう。そのため、バネ端子の位置が安定しない。
【０００７】
上記の特開２００５−２６０７７５号公報に記載されたスピーカ装置では、金属製のバネ端子の複数の折り曲げ片が非平行に設定されているため、樹脂製フレームの取付穴は折り曲げ片より寸法が大きくなるように形成される必要がある。このため、取り付け後に樹脂製フレームの取付穴に対して金属製のバネ端子の折り曲げ片が移動してしまう。そのため金属製のバネ端子の位置が安定しない。
【０００８】
上述のようにバネ端子の位置が安定しない場合には、バネ端子が移動することによってバネ端子に電気的に接続されたリード線が断線するおそれがある。
【０００９】
本発明は上記課題を鑑みてなされたものであり、その目的は、端子をスリットに安定して固定することによって、端子の移動によるリード線の断線を抑制することができるスピーカ用端子取付構造およびスピーカユニットを提供することである。
【課題を解決するための手段】
【００１０】
本発明のスピーカ用端子取付構造は、スリットを有するフレームと、スリットに差し込まれることでフレームに支持される端子とを備えている。スリットは、端子が差し込まれる方向から見て、端子の一方表面に当接する２つの一方側支持部と、端子の一方表面と対向する他方表面に当接し、かつ２つの一方側支持部に挟まれる領域の内側に位置する少なくとも１つの他方側支持部と、を含む形状を有している。２つの一方側支持部をつなぐ仮想の第１直線に対して一方表面から他方表面に向かう第１の方向に端子の厚みより小さい距離において第１直線と平行に延びる仮想の第２直線を想定したときに、他方側支持部は第２直線から第１の方向と反対方向の第２の方向側に位置している。
【００１１】
本発明のスピーカ用端子取付構造によれば、２つの一方側支持部をつなぐ仮想の第１直線に対して第１の方向に端子の厚みより小さい距離において第１直線と平行に延びる仮想の第２直線を想定したときに、他方側支持部は第２直線から第２の方向側に位置している。このため、２つの一方側支持部と他方側支持部とによって湾曲された状態で端子を支持することができる。そのため、端子の弾性力によって端子をスリットに対して付勢することができる。これにより、端子をスリットに安定して固定することができる。端子をスリットに安定して固定することによって、端子の移動によるリード線の断線を抑制することができる。
【００１２】
上記のスピーカ用端子取付構造において好ましくは、他方側支持部は、第１直線よりも第１の方向に位置している。そのため、２つの一方側支持部と他方側支持部とによって湾曲された端子の湾曲の度合いを小さくすることができる。これによりスリットへの端子の差し込みを容易にすることができる。
【００１３】
上記のスピーカ用端子取付構造において好ましくは、他方側支持部は、第１直線よりも第２の方向に位置している。そのため、２つの一方側支持部と他方側支持部とによって大きく湾曲された状態で端子を支持することができる。そのため、端子の弾性力によって端子をスリットに対して強く付勢することができる。これにより、端子をスリットに強く固定することができる。
【００１４】
上記のスピーカ用端子取付構造において好ましくは、少なくとも１つの他方側支持部は、単数の前記他方側支持部である。そのため、スリットの構成を簡易にすることができる。
【００１５】
上記のスピーカ用端子取付構造において好ましくは、少なくとも１つの他方側支持部は、２つの前記他方側支持部である。そのため、端子を４点以上で支持することができる。端子の一方端側および他方端側の両側において、一方側支持部と他方側支持部とで端子を挟み込むことができる。これにより、端子をスリットにさらに安定して固定することができる。
【００１６】
上記のスピーカ用端子取付構造において好ましくは、端子は、スリットに端子が差し込まれる方向において、フレームと係合可能な突起部を有している。そのため、突起部をフレームに係合させることでスリットに端子が差し込まれる方向において端子の位置決めをすることができる。これにより、スリットに端子が差し込まれる方向において端子をスリットに安定して固定することができる。
【００１７】
上記のスピーカ用端子取付構造において好ましくは、フレームは、突起部を受入可能な凹部を有している。そのため、凹部に突起部を受入れることでスリットに端子が差し込まれる方向においてさらに安定して端子の位置決めをすることができる。これにより、スリットに端子が差し込まれる方向において端子をスリットに安定して固定することができる。
【００１８】
上記のスピーカ用端子取付構造において好ましくは、端子はバネ端子である。端子をスリットに安定して固定することができるため、バネ端子の接点の位置を安定させることができる。そのため、端子とセット側基板の基板側端子との接点ずれを抑制することができる。これにより接点ずれによる導通不良を抑制することができる。また、端子をスリットに安定して固定することができるため、バネ端子に荷重が作用した場合にバネ端子の支点を安定させることができる。そのため、バネ端子の性能を安定させることができる。
【００１９】
本発明のスピーカユニットは、上記のスピーカ用端子取付構造を備え、端子はリード線と電気的に接続されることでボイスコイルと電気的に接続されている。上記のスピーカ用端子取付構造によって端子をスリットに安定して固定することができるため、端子の移動によるリード線の断線を抑制することができる。
【発明の効果】
【００２０】
以上説明したように本発明のスピーカユニットの取付構造およびスピーカユニットによれば、端子をスリットに安定して固定することによって、端子の移動によるリード線の断線を抑制することができる。
【図面の簡単な説明】
【００２１】
【図１】本発明の実施の形態１におけるスピーカユニットの概略上面図である。
【図２】図１のＩＩ−ＩＩ線に沿う概略断面図である。
【図３】図１のＩＩＩ−ＩＩＩ線に沿う概略部分断面図である。
【図４】図１のＩＶ−ＩＶ線に沿う概略部分断面図である。
【図５】本発明の実施の形態１におけるスピーカユニットの概略側面図である。
【図６】本発明の実施の形態１におけるスピーカユニットの概略下面図である。
【図７】図１のＰ１部におけるスリットと端子との係合状態を示す概略上面図である。
【図８】図７のＰ２部を示す概略部分拡大上面図である。
【図９】図１のＰ１部におけるスリットの形状を示す概略上面図である。
【図１０】スリットに端子が挿入される前の状態を示す図４の断面位置に対応する概略部分断面図である。
【図１１】スリットに端子が挿入された後の状態を示す図４の断面位置に対応する概略断面図である。
【図１２】本発明の実施の形態１の変形例１を示す図８の平面位置に対応する概略部分拡大上面図である。
【図１３】本発明の実施の形態１の変形例２を示す図８の平面位置に対応する概略部分拡大上面図である。
【図１４】本発明の実施の形態１の変形例３を示す図８の平面位置に対応する概略部分拡大上面図である。
【図１５】本発明の実施の形態１の変形例４を示す図５の平面位置に対応する概略側面図である。
【図１６】比較例１におけるスリットと端子との係合状態を示す概略上面図であって、図７の平面位置に対応する概略上面図である。
【図１７】比較例１におけるスリットの幅方向に端子が移動する状態を示す概略部分断面図であって、図４の断面位置に対応する概略部分断面図である。
【図１８】比較例１におけるスリット内を端子が回動する状態を示す概略部分断面図であって、図４の断面位置に対応する概略部分断面図である。
【図１９】比較例１におけるスリットと端子との係合状態を示す概略部分断面図であって、図３の断面位置に対応する概略部分断面図である。
【図２０】比較例１におけるスリットの深さ方向に端子が移動する状態を示す概略部分断面図であって、図４の断面位置に対応する概略部分断面図である。
【図２１】比較例２におけるスリットと端子との係合状態を示す概略部分拡大上面図であって、図８の平面位置に対応する概略拡大上面図である。
【図２２】本発明の実施の形態２における携帯情報端末の概略斜視図である。
【図２３】本発明の実施の形態２における携帯情報端末の折りたたまれた状態を示す概略斜視図である。
【発明を実施するための形態】
【００２２】
以下、本発明の実施の形態について図に基づいて説明する。
（実施の形態１）
最初に本発明の実施の形態１のスピーカユニットの構成について説明する。
【００２３】
図１および図２を参照して、スピーカユニット１０は、フレーム１１と、振動板１２と、フレームカバー１３と、ボイスコイル１４と、マグネット１５と、プレート１６と、ヨーク１７と、リード線１８と、端子２１とを主に有している。
【００２４】
フレーム１１は、支持部１１ａと、内周部１１ｂと、外周部１１ｃと、端子取付部１１ｄと、スリット２２とを主に有している。フレーム１１には背面孔１１ｅが設けられている。支持部１１ａは外周部１１ｃの上面に設けられている。支持部１１ａに振動板１２の外周端部が支持されることにより、フレーム１１に振動板１２が振動可能に支持されている。支持部１１ａと内周部１１ｂとの間には段差が設けられていてもよい。
【００２５】
外周部１１ｃに２つのスリット２２が設けられている。２つのスリット２２のそれぞれは、フレーム１１とフレームカバー１３とが重ねられる方向に端子取付部１１ｄを貫通するように形成されている。２つのスリット２２のそれぞれには端子２１が支持されている。２つの端子２１は、各々スリット２２に差し込まれることでフレーム１１に支持されている。端子２１は、たとえば金属板をプレス成形することで形成されている。端子２１は、たとえばステンレス、チタン銅などで形成されている。端子２１の厚みは、たとえば０．１ｍｍ以上０．２ｍｍ以下に形成されている。端子２１として、たとえばバネ端子が用いられ得る。
【００２６】
図３および図４を参照して、端子２１は、突出部２１ａと、突起部２１ｂと、挿入部２１ｃと、折り曲げ部２１ｄとを主に有している。突出部２１ａはフレーム１１から突出するように設けられている。突起部２１ｂはスリット２２に端子２１が差し込まれる方向ＩＤにおいてフレーム１１と係合可能に設けられている。フレーム１１の端子取付部１１ｄには突起部２１ｂを受入可能な凹部２３が設けられている。本実施の形態では、突起部２１ｂが凹部２３に受入れられている。挿入部２１ｃはスリット２２に挿入されている。折り曲げ部２１ｄは端子取付部１１ｄの下面に沿うように折り曲げられている。
【００２７】
図５を参照して、端子２１の突出部２１ａが弾性変形された状態でセット側基板（機器側回路基板）５０の基板側端子５１に当接することで、スピーカユニット１０は端子２１を介してセット側基板５０と電気的に接続されるように構成されている。
【００２８】
また、再び図１および図２を参照して、フレーム１１は、内周部１１ｂにおいてマグネット１５が配置されたヨーク１７を支持するように構成されている。ヨーク１７は背面孔１１ｅから露出するようにフレーム１１に支持されている。外周部１１ｃは、支持部１１ａの外周側に連続して形成されている。フレーム１１は、たとえば平面視においてトラック状に形成されている。ここでトラック状とは２本の直線の両端を円弧でつなぐようにして形成された形状である。フレーム１１は、たとえば樹脂で形成されている。なお、フレーム１１は、金属で形成された部分を有していてもよい。
【００２９】
振動板１２は、上下方向（図２中矢印Ａ方向）に振動可能なように薄板によって構成されている。振動板１２は、中央振動部１２ａと、ボイスコイル取付部１２ｂと、エッジ部１２ｃと、フレーム取付部１２ｄとを有している。中央振動部１２ａは、振動板１２の中央に設けられている。中央振動部１２ａは、振動板１２の径方向Ｄの断面視においてマグネット１５と反対側に凸となるような円弧状に形成されている。
【００３０】
ボイスコイル取付部１２ｂは、中央振動部１２ａの外周側に設けられている。ボイスコイル取付部１２ｂは中央振動部１２ａとエッジ部１２ｃとの間に設けられている。ボイスコイル取付部１２ｂは中央振動部１２ａを取り囲むように環状に設けられている。ボイスコイル取付部１２ｂは、ボイスコイル１４を取り付けるためのものである。ボイスコイル取付部１２ｂは、振動板１２の径方向Ｄの断面視において平坦となるように形成されている。
【００３１】
エッジ部１２ｃは、ボイスコイル取付部１２ｂの外周側に設けられている。フレーム取付部１２ｄは、エッジ部１２ｃの外周側に設けられている。フレーム取付部１２ｄは、フレーム１１の支持部１１ａに取り付けられている。フレーム取付部１２ｄはエッジ部１２ｃを取り囲むように環状に設けられている。フレーム取付部１２ｄは、振動板１２の径方向Ｄの断面視において平坦となるように形成されている。
【００３２】
振動板１２は、たとえば平面視においてトラック状に形成されている。振動板１２は、たとえば、ＰＥＴ（ポリエチレンテレフタレート）、ＰＥＮ（ポリエチレンナフタレート）、ＰＥＩ（ポリエーテルイミド）などで形成されている。
【００３３】
ボイスコイル１４は、ボイスコイル１４の上面が振動板１２のボイスコイル取付部１２ｂに固定されることにより、振動板１２に取り付けられている。ボイスコイル１４は、たとえばトラック状に形成されている。ボイスコイル１４にはリード線１８が電気的に接続されている。
【００３４】
マグネット１５は、ボイスコイル１４の内周面と間隔をあけてボイスコイル１４の内周側に配置されている（内磁型）。マグネット１５は、ボイスコイル１４と対向するように配置されている。ヨーク１７は、ボイスコイル１４の外周面と間隔をあけてボイスコイル１４の外周側に配置された部分（外周側部分）とボイスコイル１４およびマグネット１５の下側に配置された部分（下側部分）とを有している。
【００３５】
ヨーク１７は、外周側部分の外周面でフレーム１１の内周部１１ｂと嵌合することにより固定されている。ヨーク１７の下側部分は、ボイスコイル１４の下面と間隔をあけて配置されている。ヨーク１７の下側部分の中央部にはマグネット１５が配置されている。マグネット１５の上面にはプレート１６が配置されている。これらのマグネット１５、プレート１６およびヨーク１７により磁気回路が構成されている。
【００３６】
図２および図６を参照して、端子２１は、リード線１８にはんだ１９により接合されている。端子２１の折り曲げ部２１ｄにボイスコイル１４と電気的に接続されたリード線１８がはんだ付けされている。端子２１は、リード線１８と電気的に接続されることでボイスコイル１４と電気的に接続されている。
【００３７】
次に、端子とスリットとの係合についてさらに詳しく説明する。なお、図７および図８では、説明の便宜のため端子の湾曲の度合いを実際より大きく図示している。同様に、後述する図１２〜図１４においても説明の便宜のため端子の湾曲の度合いを実際より大きく図示している。
【００３８】
図７および図８を参照して、スリット２２は、端子２１が差し込まれる方向ＩＤから見て、端子２１の一方表面２１ｆに当接する２つの一方側支持部２２ｆと、端子２１の一方表面２１ｆと対向する他方表面２１ｓに当接する２つの他方側支持部２２ｓを含む形状を有している。他方側支持部２２ｓは２つの一方側支持部２２ｆに挟まれる領域２４の内側に位置している。つまり、他方側支持部２２ｓは、２つの一方側支持部２２ｆに挟まれる領域２４において、２つの一方側支持部２２ｆよりも内側に位置している。すなわち、他方側支持部２２ｓは、２つの一方側支持部２２ｆ上を含まないように位置している。また、他方側支持部２２ｓは少なくとも１つ設けられていればよい。
【００３９】
２つの一方側支持部２２ｆをつなぐように仮想の第１直線Ｌ１が想定される。第１直線Ｌ１と平行に延びるように仮想の第２直線Ｌ２が想定される。第２直線Ｌ２は、第１直線Ｌ１に対して、端子２１の一方表面２１ｆから他方表面２１ｓに向かう第１の方向Ｄ１側に位置している。第２直線Ｌ２は、第１直線Ｌ１に対して端子２１の厚みＴ１より小さい距離Ｔ２だけ離れて位置している。他方側支持部２２ｓは第２直線Ｌ２から第１の方向Ｄ１と反対方向の第２の方向Ｄ２側に位置している。つまり、他方側支持部２２ｓは第２直線Ｌ２上または第２直線Ｌ２よりも第２の方向Ｄ２側に位置している。本実施の形態では、他方側支持部２２ｓは、第１直線Ｌ１よりも第１の方向Ｄ１に位置している。
【００４０】
つまり、第１直線Ｌ１と第２直線Ｌ２との垂線の距離Ｔ２は端子２１の厚みＴ１より小さい。第１直線Ｌ１と第２直線Ｌ２との垂線の距離Ｔ２は、端子２１の厚みＴ１より５％以上１５％以下の範囲で小さくなるように想定されることが好ましい。第１直線Ｌ１と第２直線Ｌ２との垂線の距離Ｔ２は、端子２１の厚みＴ１より１０％小さくなるように想定されることが特に好ましい。
【００４１】
そして、他方側支持部２２ｓが第２直線Ｌ２よりも第１の方向Ｄ１に位置している。そのため、第１直線Ｌ１から他方側支持部２２ｓまでの垂線の距離は端子２１の厚みＴ１よりも小さくなる。この結果、端子２１は第１直線Ｌ１に沿う直線状態ではスリット２２に支持されない。すなわち、端子２１は湾曲した状態でスリット２２に支持される。
【００４２】
スリット２２の形状についてさらに説明する。スリット２２は、第１の孔部２２ａと、第１の孔部２２ａの両側に設けられた第２の孔部２２ｂおよび第３の孔部２２ｃを有している。第１の孔部２２ａと第２の孔部２２ｂとは互いに段差が生じるようにつながっている。また第１の孔部２２ａと第３の孔部２２ｃとは互いに段差が生じるようにつながっている。第１の孔部２２ａと第２の孔部２２ｂとの連結部分および第１の孔部２２ａと第３の孔部２２ｃとの連結部分にはそれぞれ絞り部２５が設けられている。
【００４３】
端子２１は、湾曲した状態でスリット２２に支持されている。つまり、他方側支持部２２ｓは第２直線Ｌ２よりも第１の方向Ｄ１と反対方向の第２の方向Ｄ２に位置しているため、端子２１は直線の状態では一方側支持部２２ｆと他方側支持部２２ｓとの間を通ることができない。そのため、端子２１は湾曲した状態で一方側支持部２２ｆと他方側支持部２２ｓとによって支持されている。
【００４４】
次に、端子をフレームに取り付ける方法について説明する。
図９を参照して、スリット２２が形成されたフレーム１１が準備される。図１０を参照して、スリット２２に差し込まれるように端子２１が準備される。図１１を参照して、スリット２２に端子２１が差し込まれる。この際、挿入部２１ｃがスリット２２の内部に位置している。本実施の形態では突起部２１ｂがフレーム１１と係合するため、端子２１は突起部２１ｂによって端子が差し込まれる方向ＩＤにおいて位置決めされる。続いて、折り曲げ部２１ｄが端子取付部１１ｄの下面に沿って折り曲げられる。このようにして、端子２１がスリット差し込まれることでフレーム１１に支持される。
【００４５】
次に、本実施の形態のスピーカユニットの動作について説明する。
スピーカユニット１０において、マグネット１５から発生する磁束がプレート１６およびヨーク１７によって導かれて、ボイスコイル１４の配置されている空隙に収束されて磁界が発生する。そして、ボイスコイル１４に交番電流が流れると、ボイスコイル１４を流れる交番電流とマグネット１５から発生する磁界とによってフレミングの左手の法則に基づいて、ボイスコイル１４が上下に振動する。したがって、ボイスコイル１４に取り付けられた振動板１２が振動する。これにより、電気信号（交番電流）が音響（振動）に変換される。
【００４６】
上記では、他方側支持部２２ｓが第１直線Ｌ１よりも第１の方向Ｄ１に位置している場合について説明したが本実施の形態のスピーカ用端子取付構造はこれに限定されない。図１２を参照して、本実施の形態のスピーカ用取付構造の変形例１では、他方側支持部２２ｓは、第１直線Ｌ１よりも第２の方向Ｄ２に位置している。
【００４７】
上記では、他方側支持部２２ｓが２つである場合について説明したが本実施の形態のスピーカ用端子取付構造はこれに限定されない。図１３を参照して、本実施の形態のスピーカ用取付構造の変形例２では、他方側支持部２２ｓが単数である。
【００４８】
上記の変形例２では、他方側支持部２２ｓが第１直線Ｌ１よりも第１の方向Ｄ１に位置している場合について説明したが、変形例１と同様に、他方側支持部２２ｓは、第１直線Ｌ１よりも第２の方向Ｄ２に位置していてもよい。図１４を参照して、本実施の形態のスピーカ用取付構造の変形例３では、単数の他方側支持部２２ｓが第１直線Ｌ１よりも第２の方向Ｄ２に位置している。
【００４９】
上記では、端子２１がバネ端子である場合について説明したが、端子２１はこれに限定されない。図１５を参照して、端子２１の突出部２１ａは端子取付部１１ｄの上面に沿うように設けられていてもよい。この場合、たとえば端子２１の突出部２１ａはセット側基板（機器側回路基板）５０の基板側端子５１と配線５２を介してはんだ付けにより電気的に接続されてもよい。
【００５０】
なお、上記では、内磁型のスピーカユニット１０について説明したが、本実施の形態は、マグネット１５がボイスコイル１４の外周側に配置された外磁型のスピーカユニットにも適用され得る。また、本実施の形態は、ボイスコイル１４が厚み方向より幅方向に大きくなるように形成されておりマグネット１５の一方面に配置された水平型のスピーカユニット１０にも適用され得る。
【００５１】
なお、上記ではスピーカユニット１０は、平面視においてトラック状に構成されている場合について説明したが、平面視において円状、楕円状などに構成されていてもよい。
【００５２】
次に、本実施の形態の作用効果について比較例と比較して説明する。
図１６を参照して、比較例１では、スリット２２の形状が直線状に形成されている。この比較例１の場合には、端子２１をスリット２２に差し込むために端子２１の寸法をスリット２２の寸法より小さくする必要がある。図１７を参照して、端子２１の寸法がスリット２２の寸法より小さいため、スリット２２内で端子２１がスリット２２の幅方向（図中矢印Ｘ方向）に移動する。そのため、スリット２２の幅方向（図中矢印Ｘ方向）に対する端子２１の位置が安定しない。
【００５３】
また、図１８を参照して、端子２１の寸法がスリット２２の寸法より小さいため、スリット２２内で端子２１が折り曲げ部２１ｄを支点に回動する。そのため、端子２１の回動方向（図中矢印Ｒ方向）に対する端子２１の位置が安定しない。
【００５４】
また、図１９を参照して、比較例１では、端子２１は図３に示す突起部２１ｂを有していない。なお、フレーム１１は図３に示す凹部２３を有していない。このため、端子２１が差し込まれる方向ＩＤにおいて、突起部２１ｂによって端子２１は位置決めされない。この状態では、図２０を参照して、端子２１の寸法がスリット２２寸法より小さいため、スリット２２内で端子２１がスリット２２の深さ方向（図中矢印Ｙ方向）に移動する。そのため、スリット２２の深さ方向（図中矢印Ｙ方向）に対する端子２１の位置が安定しない。
【００５５】
図２１を参照して、比較例２では、スリット２２の形状が直線状に形成されている。また端子２１が凸形状にプレス成形で形成されている。比較例２では、端子２１は、第１の湾曲部３１と、第２の湾曲部３２と、第３の湾曲部３３とを主に有している。端子２１がスリット２２に差し込まれた状態では、端子２１の弾性変形によって端子２１はスリット２２に対して付勢されている。したがって、端子２１が付勢された状態で、第１の湾曲部３１がスリット２２の一方側面４１と接触し、第２の湾曲部３２および第３の湾曲部３３が他方側面４２と接触している。
【００５６】
比較例２では、端子２１を凹形状に形成する際に形状のばらつきが発生しやすい。そのため、比較例２では、端子２１が直線形状の場合と比べてプレス成形による形状のばらつきが発生しやすい。このブレス成形による形状のばらつきによって端子２１がスリット２２に安定して固定されない。そのため、端子２１の位置が安定しない。
【００５７】
これらに対して、本実施の形態のスピーカ用端子取付構造によれば、２つの一方側支持部２２ｆをつなぐ仮想の第１直線Ｌ１に対して第１の方向Ｄ１に端子２１の厚みＴより小さい距離Ｔ２において第１直線と平行に延びる仮想の第２直線を想定したときに、他方側支持部２２ｓは第２直線Ｌ２から第２の方向Ｄ２側に位置している。このため、２つの一方側支持部２２ｆと他方側支持部２２ｓとによって湾曲された状態で端子２１を支持することができる。そのため、端子２１の弾性力によって端子２１をスリット２２に対して付勢することができる。これにより、端子２１をスリット２２に安定して固定することができる。端子２１をスリット２２に安定して固定することによって、端子２１の移動によるリード線１８の断線を抑制することができる。
【００５８】
また、端子２１をスリット２２に安定して固定することができるため、端子２１の位置を安定させることができる。そのため、端子２１とセット側基板（機器側回路基板）５０の基板側端子５１との接点ずれを抑制することができる。これにより、接点ずれによる導通不良を抑制することができる。
【００５９】
また、端子２１をスリット２２に安定して固定することができるため、端子２１の移動によるビビリ音の発生を抑制することができる。これにより、安定した音を発生させることができる。
【００６０】
また、比較例１のようにスリット２２が直線状に形成されている場合には、スリット２２を形成するための金型の幅の寸法が直線形状の幅の寸法となるため、金型の幅の寸法が薄くなる。そのため金型の強度が低下する。したがって、スリット２２の幅の寸法に限界がある。よって、端子２１の厚みが薄い場合にはスリット２２に端子２１を安定して固定することができない。
【００６１】
これに対して本実施の形態によれば、２つの一方側支持部２２ｆと他方側支持部２２ｓとによって湾曲された状態で端子２１を支持することができるため、端子２１が直線状の場合と比較してスリット２２の幅方向の寸法を大きくすることができる。そのため金型の強度を確保することができる。これにより、この点からも端子２１をスリット２２に安定して固定することができる。
【００６２】
また、本実施の形態のスピーカ用端子取付構造では、他方側支持部２２ｓは、第１直線Ｌ１よりも第１の方向Ｄ１に位置しているため、２つの一方側支持部２２ｆと他方側支持部２２ｓとによって湾曲された端子２１の湾曲の度合いを小さくすることができる。これによりスリット２２への端子２１の差し込みを容易にすることができる。
【００６３】
また、本実施の形態のスピーカ用端子取付構造では、他方側支持部２２ｓは、第１直線Ｌ１よりも第２の方向Ｄ２に位置していてもよい。これにより、２つの一方側支持部２２ｆと他方側支持部２２ｓとによって大きく湾曲された状態で端子２１を支持することができる。そのため、端子２１の弾性力によって端子２１をスリット２２に対して強く付勢することができる。これにより、端子２１をスリット２２に強く固定することができる。
【００６４】
また、本実施の形態のスピーカ用端子取付構造では、少なくとも１つの他方側支持部２２ｓは、単数の他方側支持部２２ｓである。そのため、スリット２２の構成を簡易にすることができる。
【００６５】
また、本実施の形態のスピーカ用端子取付構造では、少なくとも１つの他方側支持部２２ｓは、２つの他方側支持部２２ｓである。そのため、端子２１を４点以上で支持することができる。端子２１の一方端側および他方端側の両側において、一方側支持部２２ｆと他方側支持部２２ｓとで端子２１を挟み込むことができる。これにより、端子２１をスリット２２にさらに安定して固定することができる。
【００６６】
また、本実施の形態のスピーカ用端子取付構造では、端子２１は、スリット２２に端子２１が差し込まれる方向において、フレーム１１と係合可能な突起部２１ｂを有している。そのため、突起部２１ｂをフレーム１１に係合させることでスリット２２に端子２１が差し込まれる方向ＩＤにおいて端子２１の位置決めをすることができる。これにより、スリット２２に端子２１が差し込まれる方向ＩＤにおいて端子２１をスリット２２に安定して固定することができる。
【００６７】
また、本実施の形態のスピーカ用端子取付構造では、フレーム１１は、突起部２１ｂを受入可能な凹部２３を有している。そのため、凹部２３に突起部２１ｂを受入れることでスリット２２に端子２１が差し込まれる方向ＩＤにおいてさらに安定して端子２１の位置決めをすることができる。これにより、スリット２２に端子２１が差し込まれる方向ＩＤにおいて端子２１をスリット２２に安定して固定することができる。
【００６８】
また、本実施の形態のスピーカ用端子取付構造では、端子２１はバネ端子である。端子２１をスリット２２に安定して固定することができるため、バネ端子の接点の位置を安定させることができる。そのため、端子２１とセット側基板５０の基板側端子５１との接点ずれを抑制することができる。これにより接点ずれによる導通不良を抑制することができる。また、端子２１をスリット２２に安定して固定することができるため、バネ端子に荷重が作用した場合にバネ端子の支点を安定させることができる。そのため、バネ端子の性能を安定させることができる。
【００６９】
本実施の形態のスピーカユニットは、上記のスピーカ用端子取付構造を備えており、端子２１はリード線１８と電気的に接続されることでボイスコイル１４と電気的に接続されている。上記のスピーカ用端子取付構造によって端子２１をスリット２２に安定して固定することができるため、端子２１の移動によるリード線１８の断線を抑制することができる。
【００７０】
（実施の形態２）
最初に本発明の実施の形態２における携帯情報端末の構成について説明する。本実施の形態では実施の形態１のスピーカユニット１０を備えた携帯情報端末について説明する。
【００７１】
図２２および図２３を参照して、本実施の形態における携帯情報端末１００は、携帯電話機であって、上部筐体１０１、表示部１０２、放音孔１０３、ヒンジ部１０４、下部筐体１０５、操作ボタン１０６、数字ボタン１０７、表示部１１１、放音孔１１２と、図示しない実施の形態１のスピーカユニット１０を主に備えている。
【００７２】
図２２を参照して、上部筐体１０１の表面には表示部１０２が設けられている。上部筐体１０１の表面の一方端部側には放音孔１０３が形成されている。上部筐体１０１の他方端部側にはヒンジ部１０４が形成されている。下部筐体１０５の一方端部側にはヒンジ部１０４が形成されている。ヒンジ部１０４によって上部筐体１０１と下部筐体１０５とは開閉可能に連結されている。下部筐体１０５の表面のヒンジ部１０４側には操作ボタン１０６が形成されている。操作ボタン１０６からヒンジ部１０４と反対側に向かって数字ボタン１０７が形成されている。
【００７３】
図２３を参照して、上部筐体１０１の裏面には表示部１１１が設けられている。表示部１１１の横に放音孔１１２が形成されている。
【００７４】
図示しない実施の形態１に記載のスピーカユニット１０は、上部筐体１０１の内側に設けられている。そのスピーカユニット１０より主に放音孔１０３および１１２を通じて携帯情報端末１００の外に音が発せられる。
【００７５】
次に本実施の形態における携帯情報端末の作用効果について説明する。
本実施の形態における携帯情報端末１００によれば、上記の実施の形態１に記載のスピーカユニット１０を備えているので、実施の形態１と同様の作用効果を有する。
【００７６】
なお、本実施の形態では、携帯情報端末は、携帯電話機を例として説明したが、これに限定されず、スマートフォン、ＰＤＡ（Personal Digital Assistants）、ゲーム機、パーソナルコンピュータなどであってもよい。
【００７７】
なお、上記の各実施の形態は、適宜組み合わせることができる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００７８】
本発明は、フレームのスリットに端子が差し込まれるスピーカ用端子取付構造およびそれを備えたスピーカユニットに特に有利に適用され得る。
【符号の説明】
【００７９】
１０  スピーカユニット、１１  フレーム、１１ａ  支持部、１１ｂ  内周部、１１ｃ  外周部、１１ｄ  端子取付部、１１ｅ  背面孔、１２  振動板、１２ａ  中央振動部、１２ｂ  ボイスコイル取付部、１２ｃ  エッジ部、１２ｄ  フレーム取付部、１３  フレームカバー、１４  ボイスコイル、１５  マグネット、１６  プレート、１７  ヨーク、１８  リード線、１９  はんだ、２１  端子、２１ａ  突出部、２１ｂ  突起部、２１ｃ  挿入部、２１ｄ  折れ曲げ部、２１ｆ  一方表面、２１ｓ  他方表面、２２  スリット、２２ｆ  一方側支持部、２２ｓ  他方側支持部、２２ａ  第１の孔部、２２ｂ  第２の孔部、２２ｃ  第３の孔部、２３  凹部、２４  領域、２５  絞り部、３１  第１の湾曲部、３２  第２の湾曲部、３３  第３の湾曲部、４１  一方側面、４２  他方側面、５０  セット側基板、５１  基板側端子、５２  配線、１００  携帯情報端末、１０１  上部筐体、１０２  表示部、１０３  放音孔、１０４  ヒンジ部、１０５  下部筐体、１０６  操作ボタン、１０７  数字ボタン、１１１  表示部、１１２  放音孔、Ｄ１  第１の方向、Ｄ２  第２の方向、ＩＤ  端子が差し込まれる方向、Ｌ１  仮想の第１直線、Ｌ２  仮想の第２直線、Ｔ１  端子の厚み、Ｔ２  距離。
【図１】
2012156953.tif 000003
【図２】
2012156953.tif 000004
【図３】
2012156953.tif 000005
【図４】
2012156953.tif 000006
【図５】
2012156953.tif 000007
【図６】
2012156953.tif 000008
【図７】
2012156953.tif 000009
【図８】
2012156953.tif 000010
【図９】
2012156953.tif 000011
【図１０】
2012156953.tif 000012
【図１１】
2012156953.tif 000013
【図１２】
2012156953.tif 000014
【図１３】
2012156953.tif 000015
【図１４】
2012156953.tif 000016
【図１５】
2012156953.tif 000017
【図１６】
2012156953.tif 000018
【図１７】
2012156953.tif 000019
【図１８】
2012156953.tif 000020
【図１９】
2012156953.tif 000021
【図２０】
2012156953.tif 000022
【図２１】
2012156953.tif 000023
【図２２】
2012156953.tif 000024
【図２３】
2012156953.tif 000025